(57)【要約】【課題】部品数を増加させず、組み込み作業工数に影響を及ぼすことなく、複数の特定外部接続部を短絡させることができる。【解決手段】並設される複数の外部接続部を有し、これらの外部接続部のうちの短絡されない別の外部接続部１３，１４を挟む第１特定外部接続部１１と第２特定外部接続部１２のそれぞれの後端部側に位置する端縁部を互いに短絡させる短絡部１５を備えている。この短絡部１５は上方に折り曲げ加工によって形成してあると共に、屈曲部１５ｃを有する。【選択図】図１
2005242448.tif 000002
【特許請求の範囲】
【請求項１】
並設される複数の外部接続部を有し、少なくとも１つの外部接続部を挟む複数の特定外部接続部のそれぞれの後端部側に位置する端縁部を短絡する短絡部を備えたことを特徴とするカード用アダプタ。
【請求項２】
上記請求項１記載の発明において、
上記短絡部は、上方または下方に折り曲げ加工して成ることを特徴とするカード用アダプタ。
【請求項３】
上記請求項２記載の発明において、
ケースの後端部に平行に伸びる所定の基準線から上記特定外部接続部のそれぞれの上記端縁部に至る長さ寸法を異ならせて設定すると共に、上記短絡部に屈曲部を形成したことを特徴とするカード用アダプタ。
【発明の詳細な説明】
【技術分野】
【０００１】
本発明は、カード装着部に装着された小型カード等をカード用コネクタ装置に接続させるカード用アダプタに関する。
【背景技術】
【０００２】
この種の従来技術として、特許文献１〜５に示されるものがある。これらの従来技術は、互いに並設され、カード用コネクタ装置に接続される複数の外部接続部を有すると共に、本体を構成するケースの内部にカードが装着されるカード装着部を有し、このカード装着部にカードが装着された状態でカード用コネクタ装置に接続される。これによって、カードとカード用コネクタ装置間の信号の送受信が可能となる。
【０００３】
上述したカード用コネクタ装置には、カード用アダプタに装着されるカードよりも形状寸法の大きな標準カードが装着可能になっている。したがって、上述した従来のカード用アダプタは、標準カードとほぼ同等の形状寸法に設定されている。また、上述した標準カードは、カード用コネクタ装置に接続される複数の外部接続部を備えているが、これらの複数の外部接続部のうちの複数の特定外部接続部は、互いに短絡するように規格上決められている。
【特許文献１】特開２０００−４０１３１公報
【特許文献２】特許第３２５０９８６号公報
【特許文献３】特開２０００−３０５６６２公報
【特許文献４】特開２００２−１５７０５６公報
【特許文献５】特開２００３−１５０９１２公報
【発明の開示】
【発明が解決しようとする課題】
【０００４】
従来のカード用アダプタのそれぞれは、複数の外部接続部のうちの複数の特定外部接続部を互いに短絡させることについては、考慮がなされていなかった。
【０００５】
カード用アダプタの複数の外部接続部は、互いに同一平面上に並設されるものであることから、これらの複数の外部接続部のうちの複数の特定外部接続部を短絡させる場合には、短絡させない少なくとも１つの外部接続部を跨ぐ導電部材を別に用意し、この導電部材を複数の特定外部接続部のそれぞれに接続する構成が考えられる。
【０００６】
しかし、このように別個に設けられる導電部材を配置する場合には、部品数の増加を招くと共に、その導電部材を特定外部接続部のそれぞれに接続する組み込み作業が必要となる。したがって、組み込み作業工数がかかって、製造原価が高くなってしまう問題がある。
【０００７】
本発明は、上述した従来技術における実状からなされたもので、その目的は、部品数を増加させず、組み込み作業工数に影響を及ぼすことなく複数の特定外部接続部を短絡させることができるカード用アダプタを提供することにある。
【課題を解決するための手段】
【０００８】
上記目的を達成するために、本発明は、並設される複数の外部接続部を有し、少なくとも１つの外部接続部を挟む複数の特定外部接続部のそれぞれの後端部側に位置する端縁部を短絡する短絡部を備えたことを特徴としている。
【０００９】
このように本発明は、複数の特定外部接続部のそれぞれの後端部側に位置する端縁部に短絡部を備えるようにしてあり、このような短絡部は外部接続部を作製する過程で、同時に特定外部接続部と一体に形成することができる。したがって、部品数を増加させず、組み込み作業工数に何ら影響を及ぼすことなく、上述の端縁部に形成した短絡部によって複数の特定外部接続部を短絡させることができる。
【００１０】
また本発明は、上記発明において、上記短絡部は、上方または下方に折り曲げ加工して成ることを特徴としている。このように構成した本発明は、短絡部が上方または下方に折り曲げられているので、奥行寸法を短く設定することができる。
【００１１】
また本発明は、上記発明において、ケースの後端部に平行に伸びる所定の基準線から上記特定外部接続部のそれぞれの上記端縁部に至る長さ寸法を異ならせて設定すると共に、上記短絡部に屈曲部を形成したことを特徴としている。このように構成した本発明は、異なる長さ寸法と、折り曲げ加工して成る複数の特定外部接続部を接続する短絡部との関係に伴って生じる短絡部の変形を、屈曲部の変形で吸収させることができる。
【発明の効果】
【００１２】
本発明は、複数の特定外部接続部のそれぞれの後端部側に位置する端縁部を短絡する短絡部を備えたことから、部品数を増加させず、組み込み作業工数に影響を及ぼすことなく複数の特定外部接続部を短絡させることができ、製造原価を抑えることができる。
【発明を実施するための最良の形態】
【００１３】
以下，本発明に係るカード用アダプタを実施するための最良の形態を図に基づいて説明する。
【００１４】
図１は本発明のカード用アダプタの一実施形態を示す図で、（ａ）図は上ケース部材の一部を透視した構成を示す平面図、（ｂ）図は正面図、（ｃ）図は（ａ）図のＡ方向から見た要部拡大図である。図２は本実施形態に備えられる下ケース部材を示す図で、（ａ）図は平面図、（ｂ）図は前端部付近を示す正面図、図３は本実施形態の裏面図、図４は本実施形態に備えられる外部接続部の作製過程を示す平面図、及び本実施形態に使用される小型カードを示す図である。
【００１５】
本実施形態は、図１の（ａ）図に示すように、本体を形成するケース１が上ケース部材２と下ケース部材３とからなっており、これらの上ケース部材２と下ケース部材３とを嵌合させ、嵌合部分に例えば複数の融着部４を設け、この融着部４において融着させて一体に形成してある。上ケース部材２と下ケース部材３との間の空間に、カード、例えば図４に示す小型カード５が装着されるカード装着部１ａを形成させてある。なお図示しないが、小型カード５の裏面には複数の外部接続部が露出している。
【００１６】
図１の（ｂ）図に示すように、ケース１の前端部側には小型カード５が挿入される挿入口６を備えている。図２に示すように、下ケース部材３の挿入口６の付近には、小型カード５の上面をガイドするカードガイド７を設けてある。このようなカードガイド７が設けられていない上ケース部材２には、図１の（ａ）図に示すように、カードガイド７に適合するように切り欠きを形成してカードガイド７を回避する回避部１０を形成してある。
【００１７】
図２に示すように、例えば下ケース部材３には、小型カード５の挿入口６付近の前端部側に位置する前壁８と、奥行方向の後端部側に位置する後壁９とを形成してあり、下ケース部材３の前壁８と後壁９との間に位置するように上ケース部材２を配置してある。すなわち、上ケース部材２は下ケース部材３の領域内に配置してある。
【００１８】
また例えば、図１の（ｂ）図にも示すように、上ケース部材２の上面と、下ケース部材３の前壁８の上面、後壁９の上面、及びカードガイド７の上面とを同一平面内に配置してある。
【００１９】
また本実施形態は、後壁９の位置する後端部側に、図示しないカードコネクタ装置の接続端子に接続される複数の外部接続部を備えている。この外部接続部には、図１，２に示すように、互いに短絡される第１特定外部接続部１１と第２特定外部接続部１２と共に、これらの第１特定外部接続部１１と第２特定外部接続部１２との間に位置する短絡されない例えば２つの別の外部接続部１３，１４が含まれている。これらの複数の外部接続部は、図２に示すように、インサート成形に伴って形成された樹脂部材１６によって保持されている。
【００２０】
上述した第１外部接続部１１と第２外部接続部１２とは、下ケース部材３の後端部側に位置するそれぞれの端縁部において、短絡部１５によって短絡させてある。ケース１の後端部、すなわち図２に示す下ケース部材３の後壁９に平行に伸びる所定の基準線例えば樹脂部材１６の端縁１７から、第１特定外部接続部１１の端縁部に至る長さ寸法Ｌ１と、端縁１７から第２特定外部接続部１２の端縁部に至る長さ寸法Ｌ２とを異ならせて設定してある。例えば、長さ寸法Ｌ１を長さ寸法Ｌ２よりも長く設定してあり、図示しないカード用コネクタ装置に接続させた際、このカード用コネクタ装置の複数の接続端子のうちの該当するものに、第１特定外部接続部１１が第２特定外部接続部１２よりも早く接続するように考慮されている。
【００２１】
上述した第１特定外部接続部１１の端縁部と第２特定外部接続部１２の端縁部とを短絡する短絡部１５は、図２、及び図１の（ｃ）図に示すように、下ケース部材３の後壁９に沿って平行に延設される第１立ち上がり部１５ａ、後壁９に沿って平行に延設されるものの、第１立ち上がり部１５ａに比べて後壁９から離れた位置に配置される第２立ち上がり部１５ｂと、これらの第１立ち上がり部１５ａと第２立ち上がり部１５ｂとの境界部分に形成した屈曲部１５ｃとを含んでいる。第１立ち上がり部１５ａと第２立ち上がり部１５ｂの高さ寸法は、共にケース１の厚さ寸法内に含まれるように設定してある。
【００２２】
複数の外部接続部の作製過程にあっては、図４に示すように、第１外部接続部素材２１と第２外部接続部素材２２とが、第１立ち上がり部素材２５ａ、第２立ち上がり部素材２５ｂ、及び屈曲部素材２５ｃを含む短絡部素材２５によって一体に形成されている。このような状態において、第１特定外部接続部素材２１を前述した長さ寸法Ｌ１となるように、また第２特定外部接続部素材２２を前述した長さ寸法Ｌ２となるように、例えば上方に折り曲げ加工することにより、図２に示した短絡部１５が形成される。
【００２３】
このように構成される本実施形態では、図４に示す小型カード５が、図１に示すケース１の挿入口６から挿入され、カード装着部１ａに装着されると、小型カード５の裏面に露出している図示しない複数の外部接続部が、本実施形態の外部接続部のうちの対応するものにそれぞれ接続される。このように、小型カード５がカード装着部１ａに装着された状態で、図示しないカード用コネクタ装置に装着されることにより、本実施形態を中継して小型カード５とカード用コネクタ装置とが接続され、これらの小型カード５とカード用コネクタ装置との間で信号の送受信が可能となる。
【００２４】
以上のように構成した本実施形態によれば、小型カード５がケース１のカード装着部１ａに装着されるときに誤って小型カード５がこじられたときには、その力を下ケース部材３のカードガイド７が受けるので、上ケース部材２と下ケース部材３との融着部４にこの小型カード５のこじりによる力が伝えられることがない。したがって、このこじりによる力で融着部４の融着が引き剥がされてしまうことによるケース１の破損を防ぐことができ、強固なカード装着構造を実現でき、優れた耐久性を確保できる。
【００２５】
また、上ケース部材２に、下ケース部材３に設けたカードガイド７を回避する切り欠き、すなわち回避部１０を形成してあり、上ケース部材２の上面と、下ケース部材３の前壁８の上面、後壁９の上面、及びカードガイド７の上面を同一平面内に配置したことから、ケース１の厚さ寸法を小さくすることができ、薄型化を実現できる。
【００２６】
また、下ケース部材３の前壁８と後壁９の間に、上ケース部材２を配置したことから、下ケース部材３の長さ方向に沿う図１の（ａ）図紙面の前後方向に、上ケース部材２が下ケース部材３から外方に突出することがなく、下ケース部材３の作製時に、完成品の長さ寸法を決定させてしまうことができる。したがって、下ケース部材３を精度よく作製することにより、完成品の長さ寸法のバラツキを生じなくさせることができ、歩留まりの向上に貢献する。
【００２７】
また本実施形態は、短絡されない２つの別の外部接続部１３，１４を挟む第１特定外部接続部１１、第２特定接続部１２の端縁部を短絡する短絡部１５を備えており、この短絡部１５は外部接続部を作製する過程で、同時に第１特定外部接続部１１、第２特定外部接続部１２と一体に形成することができる。したがって、部品数を増加させず、組み込み作業工数に何ら影響を及ぼすことなく、この短絡部１５によって第１特定外部接続部１１と第２特定接続部１２とを短絡させることができ、製造原価を抑えることができる。
【００２８】
また、短絡部１５を図４に示す状態から上方に折り曲げ加工して形成してあることから、ケース１の奥行寸法を短く設定することができ、この奥行寸法の小型化を実現できる。
【００２９】
また、短絡部１５に屈曲部１５ｃを形成してあることから、図２に示すように、樹脂部材１６の端縁１７からの異なる長さ寸法Ｌ１，Ｌ２と、折り曲げ加工による第１特定外部接続部１１、第２特定外部接続部１２を接続する短絡部１５との関係に伴って生じる短絡部１５の変形を、屈曲部１５ｃの変形で吸収させることができる。したがって、上述したように短絡部１５の第１立ち上がり部１５ａ、第２立ち上がり部１５ｂを、下ケース部材３の後壁９に平行に延設させることができ、ケース１に対する外部接触部の安定した配置構造を確保できる。
【００３０】
なお、上記実施形態では、ケース１の下ケース部材３に小型カード５の上面をガイドするカードガイド７を設けたが、上ケース部材２に小型カード５の裏面をガイドするカードガイドを設けた構成とすることができる。本実施形態は、小型カード５が図４に示す上面が上に、裏面が下に位置する状態でケース１の挿入口６から挿入されるようになっているので、下ケース部材３のカードガイド７が小型カード５の上面をガイドするようになっているが、小型カード５の裏面を上にして挿入される構成である場合には、下ケース部材３のカードガイド７は小型カード５の裏面をガイドすることになる。同様に、上ケース部材２にカードガイドを設け、小型カード５が裏面を上にして挿入される構成である場合には、その上ケース部材２に設けたカードガイドは小型カード５の上面をガイドすることになる。
【００３１】
また上記では、下ケース部材３に前壁８と後壁９を設け、これらの前壁８と後壁９の間に上ケース部材２を配置した構成にしてあるが、これとは逆に、上ケース部材に前壁と後壁を設け、これらの前壁と後壁の間に下ケース部材を配置し、これらの上ケース部材と下ケース部材とを嵌合させた構成にしてもよい。
【００３２】
また上記では、短絡部１５を上方に折り曲げ加工して形成してあるが、下方部分に寸法の余裕がある場合には、この短絡部１５を下方に折り曲げ加工して形成してもよい。
【００３３】
また、下ケース部材３の後壁９付近に寸法の余裕がある場合には、短絡部１５を折り曲げ加工せずに、図４に示した状態でケース１に配置する構成にしてもよい。
【００３４】
また上記では、第１特定外部接続部１１と第２特定外部接続部１２との間に、短絡されない２つの別の外部接続部１３，１４を配置してあるが、第１特定外部接続部１１と第２特定外部接続部１２との間に１つ、あるいは３つ以上の短絡されない別の外部接続部を配置した構成にしてもよい。
【００３５】
さらに上記では、第１特定外部接続部１１と第２特定外部接続部１２との組み合わせを単に１組だけ設けてあるが、これらを複数組設ける構成にしてもよい。
【図面の簡単な説明】
【００３６】
【図１】本発明のカード用アダプタの一実施形態を示す図で、（ａ）図は上ケース部材の一部を透視した構成を示す平面図、（ｂ）図は正面図、（ｃ）図は（ａ）図のＡ方向から見た要部拡大図である。
【図２】本実施形態に備えられる下ケース部材を示す図で、（ａ）図は平面図、（ｂ）図は前端部付近を示す正面図である。
【図３】本実施形態の裏面図である。
【図４】本実施形態に備えられる外部接続部の作製過程を示す平面図、及び本実施形態に使用される小型カードを示す図である。
【符号の説明】
【００３７】
１    ケース
１ａ  カード装着部
２    上ケース部材
３    下ケース部材
４    融着部
５    小型カード
６    挿入口
７    カードガイド
８    前壁
９    後壁
１０    回避部
１１    第１特定外部接続部
１２    第２特定外部接続部
１３    別の外部接続部
１４    別の外部接続部
１５    短絡部
１５ａ  第１立ち上がり部
１５ｂ  第２立ち上がり部
１５ｃ  屈曲部
１６    樹脂部材
１７    端縁
２１    第１外部接続部素材
２２    第２外部接続部素材
２５    短絡部素材
２５ａ  第１立ち上がり部素材
２５ｂ  第２立ち上がり部素材
２５ｃ  屈曲部素材
【図１】
2005242448.tif 000003
【図２】
2005242448.tif 000004
【図３】
2005242448.tif 000005
【図４】
2005242448.tif 000006